(57)【要約】      （修正有）【課題】切断する薄手のビニール管の切断面の研磨修正することなく、作業の手間を省き作業の時間を短縮を図る。【解決手段】本体1に薄手のビニール管を押込み切断線に合わせ、使用時以外は安全のため収納ガイド5により収納されている切断刃物2の出入りを刃物収納レバー3で操作し、切断面が螺旋状にならないように刃物2の角度アジャスター4で調節し、ビニール管を回転させる事により切断面が直線にきれいに切断される。切断された部分も保持されるようにした。【選択図】図１
0003103106.tif 000002
【実用新案登録請求の範囲】
【請求項１】
薄手のビニール管を抱き圧力で簡単に切断する事を特徴とする道具。
【考案の詳細な説明】
【技術分野】
【０００１】  この考案は、薄手のビニール管を切断するための道具に関する。
【背景技術】
【０００２】  従来、薄手のビニール管の切断は鋸を使用している。
【考案の開示】
【考案が解決しようとする課題】
【０００３】  従来の鋸を使用しての薄手のビニール管の切断は切断面の研磨、切断線を直線に修正する作業に手間がかかるという問題点があった。そこでこの考案は、ビニール管を簡単に切断面をきれいに切断する道具を提供することを課題とする。
【課題を解決するための手段】
【０００４】  薄手のビニール管を抱き圧力で簡単に切断する事を特徴とする道具である。
【考案の効果】
【０００５】  薄手のビニール管の切断が簡単で切断面もきれいであるため、作業時間の短縮になる。
【考案を実施するための最良の形態】
【０００６】  この考案の一実施形態を図１と図２と図３に示す。
本体１に薄手のビニール管を押込み切断線に合わせ、使用時以外は安全のため収納ガイド５により収納されている切断刃物２の出入を刃物収納レバー３で操作し、切断面が螺旋状にならないように刃物２の左右調節を角度アジャスター４で調節し、ビニール管を回転させる事により切断面が直線にきれいに切断される。【０００７】  「実施形態の効果」
この実施形態によれば、切断刃物２の左右調節は、最初の角度アジャスター４の調節固定で以後調節の必要はない。切断刃物２を本体１の三分の一の位置に取り付けている事により、ビニール管の切断された部分が保持される。
【図面の簡単な説明】
【図１】この考案を示した側面図である。
【図２】この考案を示した背面図である。
【図３】この考案を示した平面図である。
【符号の説明】
１．本体
２．切断刃物
３．刃物収納レバー
４．角度アジャスター
５．刃物収納ガイド
【図１】
0003103106.tif 000003
【図２】
0003103106.tif 000004
【図３】
0003103106.tif 000005
【手続補正書】
【提出日】平成16年1月17日(2004.1.17)
【手続補正１】
【補正対象書類名】実用新案登録請求の範囲
【補正対象項目名】全文
【補正方法】変更
【補正の内容】
【実用新案登録請求の範囲】
【請求項１】
角状の機構収納部２と筒状部１からなる本体の、筒状部２の内側に切断刃物３を有し、縦状開口部より立樋用薄手のビニール管を圧入し回転させる事により簡便正確に切断し、かつ切断片を落下する事なく保持する道具。
【手続補正２】
【補正対象書類名】明細書
【補正対象項目名】全文
【補正方法】変更
【補正の内容】
【考案の詳細な説明】
【技術分野】
【０００１】  この考案は、雨樋用縦樋の薄手のビニール管（以下ビニール管と称す）を切断するための道具に関する。
【背景技術】
【０００２】  従来ビニール管の切断に鋸を使用している。また、高所作業での鋸の使用及び切断後の切断片の保持に課題があった。
【考案が解決しようとする課題】
【０００３】  従来の鋸を使用してのビニール管の切断は、切断面の研磨及び切断線を直線に修正する作業に手間がかかる。また、高所作業での鋸の使用及び切断片のの保持に難があった。そこでこの考案は、ビニール管を簡単に切断面をきれいに切断し、切断片を保持すると共に、高所作業での軽便化と安全性を提供する事を課題とする。
【課題を解決するための手段】
【０００４】  ビニール管を切断刃物３を有する筒状部１の縦状開口部より圧入し、回転させる事により切断するものである。
【考案の効果】
【０００５】  ビニール管を本体筒状部１の縦状開口部より圧入し、回転させるだけの簡便な作業のみで切断が可能となり、切断後の切断片も落下せず保持される。よって、軽便かつ正確な作業性と、高所作業における安全性が提供される。
【考案を実施するための最良の形態】
【０００６】  この考案の一実施形態を図１と図２と図３に示す。
本体筒状部１はビニール管の素材弾性に対し最適化された開口角度と長さを持ち、ビニール管が簡単に脱着可能であり、かつ切断時に必要な挟持する圧力が提供される。さらにこの本体筒状部１は、切断後の切断片が脱落せず、本体筒状部１に保持される長さと切断刃物３の位置となっている。また切断線の螺旋化を防ぐため、切断刃物３固定プレート７の位置調整による切断刃物角度調整機構５と、切断刃物３の刃物収納カムレバー４の操作による収納機能を持つ。同時に、切断作業中の切断線確認のための切断位置確認穴９を持つ。
【図面の簡単な説明】
【０００７】
【図１】この考案を示した側面図である。
【図２】この考案を示した背面図である。
【図３】この考案を示した平面図である。
【符号の説明】
【０００８】  １  筒状部
２  機構収納部
３  切断刃物
４  刃物収納カムレバー
５  切断刃物角度調整機構
６  刃物収納ガイド
７  刃物固定金具
８  ユニット取付金具
９  切断位置確認穴
１０  刃物固定ネジ
１１  コイルスプリング
【手続補正３】
【補正対象書類名】図面
【補正対象項目名】全図
【補正方法】変更
【補正の内容】
【図１】
0003103106.tif 000006
【図２】
0003103106.tif 000007
【図３】
0003103106.tif 000008
【手続補正書】
【提出日】平成16年1月30日(2004.1.30)
【手続補正１】
【補正対象書類名】実用新案登録請求の範囲
【補正対象項目名】全文
【補正方法】変更
【補正の内容】
【実用新案登録請求の範囲】
【請求項１】
角状の機構収納部２と筒状部１からなる本体の、筒状部２の内側に切断刃物３を有し、縦状開口部より立樋用薄手のビニール管を圧入し回転させる事により簡便正確に切断し、かつ切断片を落下する事なく保持する道具。
【手続補正２】
【補正対象書類名】明細書
【補正対象項目名】全文
【補正方法】変更
【補正の内容】
【考案の詳細な説明】
【技術分野】
【０００１】  この考案は、雨樋用縦樋の薄手のビニール管（以下ビニール管と称す）を切断するための道具に関する。
【背景技術】
【０００２】  従来ビニール管の切断に鋸を使用している。また、高所作業での鋸の使用及び切断後の切断片の保持に課題があった。
【考案が解決しようとする課題】
【０００３】  従来の鋸を使用してのビニール管の切断は、切断面の研磨及び切断線を直線に修正する作業に手間がかかる。また、高所作業での鋸の使用及び切断片のの保持に難があった。そこでこの考案は、ビニール管を簡単に切断面をきれいに切断し、切断片を保持すると共に、高所作業での軽便化と安全性を提供する事を課題とする。
【課題を解決するための手段】
【０００４】  ビニール管を切断刃物３を有する筒状部１の縦状開口部より圧入し、回転させる事により切断するものである。
【考案の効果】
【０００５】  ビニール管を本体筒状部１の縦状開口部より圧入し、回転させるだけの簡便な作業のみで切断が可能となり、切断後の切断片も落下せず保持される。よって、軽便かつ正確な作業性と、高所作業における安全性が提供される。
【考案を実施するための最良の形態】
【０００６】  この考案の一実施形態を図１と図２と図３に示す。
本体筒状部１はビニール管の素材弾性に対し最適化された開口角度と長さを持ち、ビニール管が簡単に脱着可能であり、かつ切断時に必要な挟持する圧力が提供される。さらにこの本体筒状部１は、切断後の切断片が脱落せず、本体筒状部１に保持される長さと切断刃物３の位置となっている。また切断線の螺旋化を防ぐため、切断刃物３固定プレート７の位置調整による切断刃物角度調整機構５と、切断刃物３の刃物収納カムレバー４の操作による収納機能を持つ。同時に、切断作業中の切断線確認のための切断位置確認穴９を持つ。
【図面の簡単な説明】
【０００７】
【図１】この考案を示した側面図である。
【図２】この考案を示した背面図である。
【図３】この考案を示した平面図である。
【符号の説明】
【０００８】  １  筒状部
２  機構収納部
３  切断刃物
４  刃物収納カムレバー
５  切断刃物角度調整機構
６  刃物収納ガイド
７  刃物固定金具
８  ユニット取付金具
９  切断位置確認穴
１０  刃物固定ネジ
１１  コイルスプリング
【手続補正３】
【補正対象書類名】図面
【補正対象項目名】全図
【補正方法】変更
【補正の内容】
【図１】
0003103106.tif 000009
【図２】
0003103106.tif 000010
【図３】
0003103106.tif 000011